(57)【要約】【課題】番組情報表示装置の物理的制限により、一日の番組表全てを表示する場合、番組名は判読不能になる。又、番組名を少ない領域に表示する場合、番組の先頭数文字のみを表示すると、番組名を類推できない可能性がある。一日の番組全てを番組内容が類推できる様に限られた領域内に表示する事が課題である。【解決手段】番組名の略語やアイコンを番組名に関連付けて、ユーザーが登録できる手段を設け、略語やアイコンを番組名の代わりに表示する事で、番組当りの表示領域が小さい場合でも、番組の内容が類推する事ができる。よって一日の全番組を同時に表示する事ができる。【選択図】図１
2007165964.tif 000002
【特許請求の範囲】
【請求項１】
入力装置と、番組情報を格納する番組情報格納部と、番組名に対応した略語を格納する番組名略語対応表格納部と、番組名と前記入力装置から入力された略語を対応付けて、前記番組名略語対応表格納部に格納する略語対応部と、番組情報と番組名に対応する略語を読み出し、略語が存在する番組に対して、番組名の代わりに略語を表示して番組表を表示する表示制御部を備える事を特徴とする番組表表示装置。
【請求項２】
前記表示制御部は、前記番組名略語対応表格納部に略語が存在しない番組名の場合は、番組名の先頭数文字を表示して番組表を表示する事を特徴とする、請求項１記載の番組表表示装置。
【請求項３】
前記入力装置がビットマップアイコンを入力でき、前記略語対応部が番組名とアイコンを対応付けて、前記番組名略語対応表格納部に格納し、アイコンが存在すする番組に対して、番組名の代わりにアイコンを表示する事を特徴とする、請求項１記載の番組表表示装置。
【請求項４】
前記略語対応部が前記番組情報格納部から番組に登場する出演者を抽出し、前記略語対応部が出演者とアイコンを対応付けて、前記番組名略語対応表格納部に格納する事を特徴とする、請求項３記載の番組表表示装置。
【請求項５】
前記略語対応部が前記番組情報格納部から番組のジャンルコードを抽出し、前記略語対応部がジャンルコードとアイコンを対応付けて、前記番組名略語対応表格納部に格納する事を特徴とする、請求項３記載の番組表表示装置。
【請求項６】
入力装置と、番組情報を格納する番組情報格納部と、番組名の先頭から数文字ずつを順に取り出して、番組名の代わりに表示する表示制御部を備える事を特徴とする番組表表示装置。
【発明の詳細な説明】
【技術分野】
【０００１】
本発明は番組情報を表示部に表示する装置に関するものである。
【背景技術】
【０００２】
近年、インターネットの進展により番組情報データをネットワークから受信できるテレビやパソコンなどが続々と発売されている（例えば特許文献１参照。）。
【特許文献１】特許第３３０５７２７号公報
【発明の開示】
【発明が解決しようとする課題】
【０００３】
前記機器は取得した番組情報を表示部に表示する。表示装置の物理的制限により、番組名を判読できる文字のサイズで表示する場合、数時間程度の番組表しか、表示装置に表示できない。もし、一日の番組表を全て表示した場合、番組名は判読不能になる。
【０００４】
又、番組名を少ない領域に表示する場合、番組の先頭数文字のみを表示すると、番組名を類推させる情報に結びつかない情報を表示する可能性がある。
【０００５】
一日の番組全てを番組内容が類推できる様に限られた領域内に表示する事が課題である。
【課題を解決するための手段】
【０００６】
上記問題点を解決するために、本発明（請求項１）に係る番組表表示装置は番組名の代わりにユーザーが登録した略語を表示する事で、略語が登録された番組の番組枠領域を小さくしても、番組が理解できる番組表を表示できる。
【０００７】
又、本発明（請求項２）に係る番組表表示装置は、略語が登録されていない番組に対して、番組名の先頭数文字を番組表に表示する事で、全番組の表示枠の大きさを小さくする事ができる。
【０００８】
又、本発明（請求項３）に係る番組表表示装置は、番組名の代わりに対応付けられたアイコンを表示する事で、番組枠の大きさをアイコンサイズに縮小できる。  
【０００９】
又、本発明（請求項４）に係る番組表表示装置は、出演者に対応したアイコンを登録アイコンにする事で、長時間帯の番組表からお目当ての出演者が出演する番組を、容易に判別できる。
【００１０】
又、本発明（請求項５）に係る番組表表示装置は、ジャンルコードに対応したアイコンを表示する事で、番組をジャンルから検索するユーザーに長時間帯の番組表を表示できる。
【００１１】
又、本発明（請求項６）に係る番組表表示装置は、番組名を先頭数文字ずつ表示する事で、狭い領域でも時間を掛ける事で、番組名を認識できる。
【発明の効果】
【００１２】
以上のように本発明によれば、番組名の代わりに略語や、番組名の先頭数文字、アイコンなどを表示する事で、番組当りの表示領域を小さくしても、番組の内容を分る様に表示できる。その結果、一日もしくは長時間に渡る時間帯の全番組を同時に表示する事ができる。
【発明を実施するための最良の形態】
【００１３】
（実施の形態１）
以下、本発明の実施の形態１による番組表表示装置について、図１、図２、図９、図１０、図１１を参照しながら説明する。
【００１４】
図１は、本実施の形態１による番組表表示装置の構成を示すブロック図である。図１において、１０１は信号受信部、１０２は番組情報取得部、１０３は番組表作成部、１０４は表示部、１０５は表示制御部、１０６は入力部、１０７は表示情報合成部、１０８は番組情報格納部、１０９は番組名略語対応表格納部、１１０は略語対応部である。
【００１５】
次に本実施の形態による番組表表示装置の動作について説明する。図２は処理の流れを示すフロー図である。伝送される番組情報データを信号受信部１０１が受信する（Ｓ２０１）。番組情報データは地上波電波でのＶＢＩ信号、ＣＳやＢＳ放送によるパケットによる伝送、インターネットでのＴＣＰ／ＩＰなどで伝送される。番組情報取得部１０２は信号受信部１０１が受信したデータから、おのおのの伝送方式に合わせた復調方式を用いて、番組情報を取得する（Ｓ２０２）。取得された番組情報は番組情報格納部１０８が格納する（Ｓ２０３）。
【００１６】
表示情報合成部１０７は番組情報格納部１０８から番組名を読み出し、表示制御部１０５に送る。表示制御部１０５は表示部１０４に番組名を表示する。表示された番組名に対して、ユーザーは入力部１０６から番組名に対応した略語を入力し、略語対応部１１０が番組名に対応付けられた略語を番組名に対応させて、番組名略語対応表格納部１０９に格納する（Ｓ２０４）。
【００１７】
番組表作成部１０３は番組情報格納部１０８が格納した番組情報から番組表を作成する。
番組情報が当日分の番組に関してしか伝送されない場合、放送局を横軸、時間軸を縦軸として表す。番組情報が複数日存在する場合、縦軸は時間であるが、横軸は日、もしくは放送局の両者が可能である。横軸が日である場合、一放送局の数日分の番組を２次元で表示し、放送局を選択する手段が入力部１０６から提供される。また、横軸が放送局の場合、ある日の全放送局の番組を２次元で表示し、日を選択する手段が入力部１０６から提供される。
【００１８】
全ての番組の番組名を表示できるだけの表示領域が存在する事はまれであるため、番組の継続時間が短い番組は番組名を表示せず、番組の枠だけで番組の存在を示す事になる。継続時間が短い番組が連続して続く場合も、できるだけ多くの短い番組に枠を割り当てる様に番組表を番組表作成部１０３が作成する。
【００１９】
番組表作成部１０３は番組名略語対応表格納部１０９から略語を読み出し、番組名に対応する略語が格納されている場合、番組名の代わりの略語を表示する。（Ｓ２０５）
表示情報合成部１０７は番組表作成部１０３が作成した番組表と同時に表示する他の情報をまとめて、表示情報を作成する。表示部１０４に表示できる情報が少ない場合、番組表の一部のみを表示情報に組み入れる事も行う。（Ｓ２０６）最後に、表示制御部１０５が表示部１０４に表示情報合成部が合成した情報を表示する。（Ｓ２０７）
図９は略語が登録されていない場合の番組表の例であり、図１０に示す略語が番組名略語対応表格納部１０９に登録されている場合、図１１の様に番組表は表示される。  
【００２０】
（実施の形態２）
以下、本発明の実施の形態２による番組表表示装置について図３、図１２を参照しながら説明する。図３は処理の流れを示すフロー図である。図２と同じ番号のステップでは図２と同じ処理を行う。伝送される番組情報データを受信し、番組情報を取得し、番組情報を格納する手順は実施の形態１と同じである。
【００２１】
番組表を作成する場合、略語が存在する番組に対しては、番組名の代わりに略語を表示する事は、実施の形態１と同じである。略語が存在しない番組に対しては、先頭の数文字を表示する（Ｓ３０５）。
【００２２】
図１２は実施の形態２により表示された番組表の一例である。略語が存在しない番組に対しては、番組名の先頭の３文字を表示している。一番組み当りの番組枠の大きさが小さくできるため、図１１に比べて、図１２では一時間分の番組を多く表示できる。
【００２３】
（実施の形態３）
以下、本発明の実施の形態３による番組表表示装置について図４、図１３を参照しながら説明する。図４は処理の流れを示すフロー図である。図２と同じ番号のステップでは図２と同じ処理を行う。伝送される番組情報データを受信し、番組情報を取得し、番組情報を格納する手順は実施の形態１と同じである。
【００２４】
実施の形態１では番組名に略語を対応させて、番組名略語対応表格納部１０９に略語と番組名を格納したが、本実施の形態では、番組名とアイコンを対応づけて、格納する。（Ｓ４０４）
番組表作成部１０３は番組名略語対応表格納部１０９からアイコンを読み出し、番組名に対応するアイコンが格納されている場合、番組名の代わりに略語を表示する。（Ｓ４０５）
図１３は実施の形態３により表示された番組表の一例である。アイコンが対応付けられた番組に対して、アイコンを表示している。
【００２５】
（実施の形態４）
以下、本発明の実施の形態４による番組表表示装置について、図５を参照しながら説明する。図５は処理の流れを示すフロー図である。図４と同じ番号のステップでは図４と同じ処理を行う。伝送される番組情報データを受信し、番組情報を取得し、番組情報を格納する手順は実施の形態１と同じである。
【００２６】
実施の形態３では番組名とアイコンを対応づけて格納したが、本実施の形態では、番組の出演者に対応したアイコンを番組名に対応付けて、格納する。（Ｓ５０４）
（実施の形態５）
以下、本発明の実施の形態５による番組表表示装置について、図６を参照しながら説明する。図６は処理の流れを示すフロー図である。図４と同じ番号のステップでは図４と同じ処理を行う。伝送される番組情報データを受信し、番組情報を取得し、番組情報を格納する手順は実施の形態１と同じである。
【００２７】
実施の形態３では番組名とアイコンを対応づけて格納したが、本実施の形態では、番組のジャンルコードとアイコンを対応付けて、格納する。（Ｓ６０４）
番組表作成部１０３は番組名略語対応表格納部１０９からアイコンを読み出し、番組のジャンルコードに対応するアイコンが格納されている場合、番組名の代わりにアイコンを表示する。（Ｓ６０５）
なお、ジャンルコードに対応するアイコンの代わりに、ジャンルコードそのものを表示しても良い。
【００２８】
（実施の形態６）
以下、本発明の実施の形態６による番組表表示装置について、図７、図８、図１４を参照しながら説明する。図７は、本実施の形態による番組表表示装置の構成を示すブロック図である。図１と同じ番号の構成部は図１と同じ処理を行う。図８は処理の流れを示すフロー図である。図２と同じ番号のステップでは図２と同じ処理を行う。伝送される番組情報データを受信し、番組情報を取得し、番組情報を格納する手順は実施の形態１と同じである。
【００２９】
実施の形態１では番組名はとして全ての文言を表示したが、本実施の形態では、先頭から数文字ずつを順に表示する。（Ｓ８０５）
図１４は実施の形態６により表示された番組表の一例である。
【産業上の利用可能性】
【００３０】
本発明は番組情報等を表示部に表示する装置に適用できる。
【図面の簡単な説明】
【００３１】
【図１】本発明の実施の形態１による番組表表示装置の構成を示すブロック図
【図２】本発明の実施の形態１による番組表表示装置の処理の流れを示す図
【図３】本発明の実施の形態２による番組表表示装置の処理の流れを示す図
【図４】本発明の実施の形態３による番組表表示装置の処理の流れを示す図
【図５】本発明の実施の形態４による番組表表示装置の処理の流れを示す図
【図６】本発明の実施の形態５による番組表表示装置の処理の流れを示す図
【図７】本発明の実施の形態６による番組表表示装置の構成を示すブロック図
【図８】本発明の実施の形態６による番組表表示装置の処理の流れを示す図
【図９】先行技術による番組表表示装置の画面の一例図
【図１０】本発明の実施の形態１による番組名と略語の対応の一例図
【図１１】本発明の実施の形態１による番組表表示装置の画面の一例図
【図１２】本発明の実施の形態２による番組表表示装置の画面の一例図
【図１３】本発明の実施の形態３による番組表表示装置の画面の一例図
【図１４】本発明の実施の形態６による番組表表示装置の画面の一例図
【符号の説明】
【００３２】
１０１    信号受信部
１０２    番組情報取得部
１０３    番組表作成部
１０４    表示部
１０５    表示制御部
１０６    入力部
１０７    表示情報合成部
１０８    番組情報格納部
１０９    番組名略語対応表格納部
１１０    略語対応部
７０３    番組表作成部
【図１】
2007165964.tif 000003
【図２】
2007165964.tif 000004
【図３】
2007165964.tif 000005
【図４】
2007165964.tif 000006
【図５】
2007165964.tif 000007
【図６】
2007165964.tif 000008
【図７】
2007165964.tif 000009
【図８】
2007165964.tif 000010
【図９】
2007165964.tif 000011
【図１０】
2007165964.tif 000012
【図１１】
2007165964.tif 000013
【図１２】
2007165964.tif 000014
【図１３】
2007165964.tif 000015
【図１４】
2007165964.tif 000016